(57)【要約】【課題】趾間にフィットして使用感が良好で、且つ、脱落を防ぐことができると共に、脱着が容易であり、使い捨てにできる簡素且つ安価な水虫防止紙片を提供する。【解決手段】足の趾先から趾股の方向に挿入可能に構成された縦壁状部２と、縦壁状部２の下端面に下端面方向に延設された下翼部３と、縦壁状部２の上端面に上端面方向に延設された上翼部４とを備え、少なくとも一部に水虫予防又は治療薬が含浸或いは塗布された水虫防止紙片１を提供する。そして、前記下翼部３と上翼部４は、装着時に於ける趾先から趾股方向に向かって漸次巾広に形成され、且つ、幅広先端部分３ａ，４ａが縦壁状部２よりも延出されている。【選択図】図１
2007296212.tif 000002
【特許請求の範囲】
【請求項１】
足の趾先から趾股の方向に挿入可能に構成された縦壁状部と、前記縦壁状部の下端面に前記下端面方向に延設された下翼部と、前記縦壁状部の上端面に前記上端面方向に延設された上翼部とを備え、少なくとも一部に水虫予防又は治療薬が含浸或いは塗布されたことを特徴とする水虫防止紙片。
【請求項２】
前記下翼部と上翼部は、装着時に於ける趾先から趾股方向に向かって漸次巾広に形成され、且つ、幅広先端部分が縦壁状部よりも延出されていることを特徴とする請求項１記載の水虫防止紙片。
【請求項３】
前記下翼部の縦壁状部側上側面は縦壁状部から外方に向かって下方に斜欠され、前記上翼部の縦壁状部側下側面は縦壁状部から外方に向かって上方に斜欠されていることを特徴とする請求項１又は２記載の水虫防止紙片。
【請求項４】
前記下翼部及び前記上翼部の前記幅広先端部分が平面視半円状に形成され、前記下翼部と前記縦壁状部と前記上翼部とを結ぶ外形形状は曲線形状に形成されていることを特徴とする請求項２又は３に記載の水虫防止紙片。
【請求項５】
請求項１乃至４のいずれか一に記載の水虫防止紙片は、柔軟性と吸湿性又は吸水性を有する紙を素材として形成される一体成型の水虫防止紙片であることを特徴とする水虫防止紙片。
【請求項６】
請求項１乃至５のいずれか一に記載の水虫防止紙片は、抗真菌薬を含浸し、又は抗真菌薬が塗布されていることを特徴とする水虫防止紙片。
【発明の詳細な説明】
【技術分野】
【０００１】
本発明は、足の隣接する趾（指）の間に装着し、水虫の予防、水虫の治療効果を有する水虫防止紙片に関する。
【背景技術】
【０００２】
従来、此種の水虫の予防、治療効果を有する水虫予防又は治療のための薬又は用品は種々開発され、使用されている。
特に、足の趾部（指部）に装着する水虫防止用品も市販されており、一般に使用されている。
従来の足の趾部に装着する水虫防止用品としては、例えば、全趾間に装着する比較的大型の水虫防止用品、或いは、靴下タイプの水虫防止用品等がある（特許文献１及び２参照）。
【特許文献１】特開平１０−３３５８６号公報
【特許文献２】特開２００１−２７１２０５号公報
【発明の開示】
【発明が解決しようとする課題】
【０００３】
前述した足の趾部に装着する従来の水虫防止用品には、次のような問題点がある。
（１）複雑な形をしているものは、脱着に手間がかかる。
（２）全趾間に装着するものは大型となり、１個当たりのコストがかかるので使用が長続きしない。
（３）靴下タイプのものは、使用後に洗濯しなければならず手間がかかり、再利用するのには不潔感がある。
（４）従来の水虫防止用品は、形が非生理的である（体形にフィットしない）ため装着に違和感があり、また歩行でずれる。
【０００４】
以上の現状に鑑み、本発明は、趾間にフィットして使用感が良好で、且つ、脱落を防ぐことができると共に、脱着が容易であり、使い捨てにできる簡素且つ安価な水虫防止紙片を提供することを目的とする。
【課題を解決するための手段】
【０００５】
上記の課題を解決すべく、本発明は以下の構成を提供する。
請求項１に係る発明は、足の趾先から趾股の方向に挿入可能に構成された縦壁状部と、前記縦壁状部の下端面に前記下端面方向に延設された下翼部と、前記縦壁状部の上端面に前記上端面方向に延設された上翼部とを備え、少なくとも一部に水虫予防又は治療薬が含浸或いは塗布されたことを特徴とする水虫防止紙片を提供するものである。
【０００６】
請求項２に係る発明は、前記下翼部と上翼部は、装着時に於ける趾先から趾股方向に向かって漸次巾広に形成され、且つ、幅広先端部分が縦壁状部よりも延出されていることを特徴とする請求項１記載の水虫防止紙片を提供するものである。
【０００７】
請求項３に係る発明は、前記下翼部の縦壁状部側上側面は縦壁状部から外方に向かって下方に斜欠され、前記上翼部の縦壁状部側下側面は縦壁状部から外方に向かって上方に斜欠されていることを特徴とする請求項１又は２記載の水虫防止紙片を提供するものである。
【０００８】
請求項４に係る発明は、前記下翼部及び前記上翼部の前記幅広先端部分が平面視半円状に形成され、前記下翼部と前記縦壁状部と前記上翼部とを結ぶ外形形状は曲線形状に形成されていることを特徴とする請求項２又は３に記載の水虫防止紙片を提供するものである。
【０００９】
請求項５に係る発明は、請求項１乃至４のいずれか一に記載の水虫防止紙片は、柔軟性と吸湿性又は吸水性を有する紙を素材として形成される一体成型の水虫防止紙片であることを特徴とする水虫防止紙片を提供するものである。
【００１０】
請求項６に係る発明は、請求項１乃至５のいずれか一に記載の水虫防止紙片は、抗真菌薬を含浸している又は抗真菌薬が塗布されていることを特徴とする水虫防止紙片を提供するものである。
【発明の効果】
【００１１】
本発明の請求項１記載の発明によれば、足の趾先から趾股の方向に挿入可能に構成された縦壁状部と、前記縦壁状部の下端面に前記下端面方向に延設された下翼部と、前記縦壁状部の上端面に前記上端面方向に延設された上翼部とを備え、少なくとも一部に水虫予防又は治療薬が含浸或いは塗布された水虫防止紙片を提供するので、次のような効果を奏する。
（１）趾間の生理的形状（体形）に合わせた構造にしたため、よくフィットし趾間に密着するので、使用感がよい。
（２）簡単な形状のため脱着に手間や時間がかからないと共に、安価である。
（３）１趾間に１個使用するよう構成し、使い捨てとしたので、不潔感がない。
（４）下方翼部と上部翼部を翼状に広がるよう設けたので脱落防止となる。
【００１２】
請求項２記載の発明によれば、前記下翼部と上翼部は、装着時に於ける趾先から趾股方向に向かって漸次巾広に形成され、且つ、幅広先端部分が縦壁状部よりも延出されているので、請求項１記載の発明の効果に加え、趾部及び足股部を巾広く覆い、水虫予防又は水虫治療効果を高めることができると共に、脱落を防止することができる。
【００１３】
請求項３記載の発明によれば、前記下翼部の縦壁状部側上側面は縦壁状部から外方に向かって下方に斜欠され、前記上翼部の縦壁状部側下側面は縦壁状部から外方に向かって上方に斜欠されているので、請求項１又は２記載の発明の効果に加え、装着し易いと共に、趾間にフィットするので、使用感が良好であり、且つ、趾への密着度が高まるので、水虫予防又は治療効果が高いという利点がある。
【００１４】
請求項４記載の発明によれば、前記下翼部及び前記上翼部の前記幅広先端部分が平面視半円状に形成され、前記下翼部と前記縦壁状部と前記上翼部とを結ぶ外形形状は曲線形状に形成されているので、請求項２又は３に記載の発明の効果に加え、外観的に優れ、且つ、趾への密着度が高く装着感も良好な水虫防止紙片を得ることができる。
【００１５】
請求項５記載の発明によれば、請求項１乃至４のいずれか一に記載の水虫防止紙片は、柔軟性と吸湿性又は吸水性を有する紙を素材として形成される一体成型の水虫防止紙片であるので、柔軟性を有する紙製にしたことにより、適度に変形して趾部の形状になじみ、装着感が良く、又、使い捨てにすることができるため清潔感がある。更に、吸湿性又は吸水性を有する素材であるので、水分、湿気を吸収して患部を乾燥させ清潔に保つことができる。
【００１６】
請求項６記載の発明によれば、請求項１乃至５のいずれか一に記載の水虫防止紙片は、抗真菌薬を含浸している又は抗真菌薬が塗布されている水虫防止紙片を提供するので、水虫防止紙片に抗真菌薬が含浸又は塗布されていることにより、水虫を根治させることができる。
【発明を実施するための最良の形態】
【００１７】
以下、実施例を示した図面を参照しつつ本発明の実施の形態を説明する。
図１乃至図３に於いて、１は本発明の第１実施例の水虫防止紙片である。水虫防止紙片１は、ナプキンの素材となるような吸湿性又は吸水性を有し、且つ、柔軟性のある紙を素材として形成される一体成型の水虫防止紙片であり、図示しない人の足の趾先（足の指先）から趾股（足の指股）の方向に挿入可能に略平板状に構成された縦壁状部２と、縦壁状部２の下端面に下端面方向に広がるように延設された下翼部３と、縦壁状部２の上端面に上端面方向に広がるように延設された上翼部４とを備えており、水虫防止紙片１の少なくとも一部、例えば、適宜箇所、或いは全体に水虫予防薬又は水虫治療薬が含浸或いは塗布されている。
【００１８】
そして、前記下翼部３と上翼部４は、装着時に於ける趾先から趾股方向に向かって漸次巾広に形成され、且つ、その幅広先端部分３ａ，４ａが趾股方向に向かって縦壁状部２よりも延出（突設）されている。
【００１９】
更に、前記下翼部３の縦壁状部２側上側面は縦壁状部２から外方に向かって下方に斜欠されてテーパ形状に形成され、前記上翼部４の縦壁状部２側下側面は縦壁状部２から外方に向かって上方に斜欠されてテーパ形状に形成されている。
【００２０】
更に又、前記水虫防止紙片は、使用態様に応じて、前記水虫予防又は治療薬に併用して、水虫防止紙片全体又は一部、或いは、前記縦壁状部２に、抗真菌薬を含浸しているか、又は、抗真菌薬が塗布されている。又は、使用態様に応じて、前記水虫予防又は治療薬に代えて、抗真菌薬が用いられても良い。
【００２１】
而して、図４及び図５は、水虫防止紙片１を足５に於ける趾６，６間に装着した状態を示す。
水虫防止紙片１は、上翼部４を上にし、下翼部３を下にして、幅広先端部分３ａ，４ａ側を人５の趾股７方向に向け、縦壁状部２を趾６，６間に挿入して装着する。
【００２２】
その時、趾６，６間は縦壁状部２に接触し、趾６の上部は上翼部４の下面に接触し、趾６の下部は下翼部３の上面に接触し、趾股７近傍は、上翼部４又は下翼部３の幅広先端部分３ａ，４ａ側に接触する。
【００２３】
又、前記水虫防止紙片１は柔軟性のある紙を素材として形成されているので、趾６，６間に装着された時、多少変形して、趾６，６間の形状に馴染みフイットする。
【００２４】
尚、前記水虫防止紙片１は、前記水虫予防又は治療薬、及び／又は、抗真菌薬に加えて、更に防臭効果のある薬剤を含浸又は塗布すれば、防臭効果をもたせることも可能である。
【００２５】
図６乃至図８に於いて、２１は本発明の第２実施例の水虫防止紙片である。水虫防止紙片２１は、前記水虫防止紙片（図１に於いて１）を改良したものであり、前記下翼部（図１に於いて３）に代えて設けられる下翼部２２及び前記上翼部（図１に於いて４）に代えて設けられる上翼部２３の前記幅広先端部分（図１に於いて３ａ，４ａ）に対応する幅広先端部分２２ａ，２３ａが平面視半円状に形成され、前記下翼部２２と、前記縦壁状部（図１に於いて２）に代えて設けられる縦壁状部２４と、前記上翼部２３とを結ぶ外形形状が曲線形状に形成されている。
【００２６】
而して、図９及び図１０は、水虫防止紙片２１を足の趾６，６…間に装着した状態を示す。
装着方法は、前記水虫防止紙片１と同様であるので、説明を省略する。
【００２７】
前記水虫防止紙片２１は、前記水虫防止紙片１の効果に加え、前記幅広先端部分２２ａ，２３ａが平面視半円状に形成されることにより、外観的に優れた形状となり、又、角部がないことにより、足、趾部又は趾股を傷つけることもなく、肌ざわりが良く、更に、下翼部２２と、縦壁状部２４と、上翼部２３とを結ぶ外形形状が曲線形状に形成されていることにより、趾６，６間に於ける密着度、装着感も良好になる。
【図面の簡単な説明】
【００２８】
【図１】本発明による第１実施例の水虫防止紙片の斜視図である。
【図２】（ａ）前図１の正面図である。（ｂ）前図（ａ）の左側面図である。（ｃ）前図（ａ）の右側面図である。（ｄ）前図（ａ）の平面図である。（ｅ）前図（ａ）の底面図である。
【図３】（ａ）前図２のＡ−Ａ線断面図である。（ｂ）前図２のＢ−Ｂ線断面図である。（ｃ）前図２のＣ−Ｃ線断面図である。（ｄ）前図２のＤ−Ｄ線断面図である。
【図４】本発明による第１実施例の水虫防止紙片を装着した状態を示す一部切欠平面図である。
【図５】（ａ）前図４のＥ−Ｅ線断面図である。（ｂ）前図４のＦ−Ｆ線断面図である。
【図６】本発明による第２実施例の水虫防止紙片の斜視図である。
【図７】（ａ）前図６の正面図である。（ｂ）前図（ａ）の左側面図である。（ｃ）前図（ａ）の平面図である。（ｄ）前図（ａ）の底面図である。
【図８】（ａ）前図７のＧ−Ｇ線断面図である。（ｂ）前図７のＨ−Ｈ線断面図である。（ｃ）前図７のＩ−Ｉ線断面図である。（ｄ）前図７のＪ−Ｊ線断面図である。（ｅ）前図７のＫ−Ｋ線断面図である。
【図９】本発明による第２実施例の水虫防止紙片を装着した状態を示す一部切欠平面図である。
【図１０】（ａ）前図９のＬ−Ｌ線断面図である。（ｂ）前図９のＭ−Ｍ線断面図である。
【符号の説明】
【００２９】
１，２１水虫防止紙片
２，２４縦壁状部
３，２２下翼部
３ａ，４ａ，２２ａ，２３ａ幅広先端部分
４，２３上翼部
５足
６趾
７趾股
【図１】
2007296212.tif 000003
【図２】
2007296212.tif 000004
【図３】
2007296212.tif 000005
【図４】
2007296212.tif 000006
【図５】
2007296212.tif 000007
【図６】
2007296212.tif 000008
【図７】
2007296212.tif 000009
【図８】
2007296212.tif 000010
【図９】
2007296212.tif 000011
【図１０】
2007296212.tif 000012